(57)【要約】【課題】施工が容易で、屋根部の桁側切妻屋根の造形の自由度を向上させた建物の屋根部支持構造及び該支持構造に用いる屋根ユニットを提供する。【解決手段】屋根部１２に設けられた１つの屋根ユニット１２Ａには、建物ユニット１１の桁側一側縁１１ｂに沿って、桁側切妻屋根部１３が形成されている。  この桁側切妻屋根部１３は、略三角形形状の屋根面材１４，１４が、組み合わせられて構成されていて、桁側一側縁１１ｂの長さＬ１に満たない両端縁１３ａ，１３ａ間の寸法Ｌ２を有している。  この屋根ユニット１２Ａには、屋根面材１４，１４の両端縁１３ａ，１３ａを下方から支持するように連結する桁構造連結材１５が、設けられている。【選択図】図１
2008025150.tif 000002
【特許請求の範囲】
【請求項１】
建物ユニットの上部に屋根部を載置して、少なくとも妻側両側面に位置する耐力壁部によって、前記屋根部の荷重を下方から支持する建物の屋根部構造であって、
前記屋根部には、前記建物ユニットの桁側一側縁に沿って、屋根面材を組み合わせて、該桁側一側縁の長さに満たない両端縁間寸法を有する桁側切妻屋根部を形成すると共に、該屋根面材の両端縁間を連結すると共に、前記建物ユニットの桁側一側縁に沿って延設されて、両端部を、前記両耐力壁部の上部に載置させる桁構造連結材を設けたことを特徴とする建物の屋根部構造。
【請求項２】
建物ユニットの上部に屋根部を載置して、少なくとも妻側両側面に位置する耐力壁部によって、前記屋根部の荷重を下方から支持する建物の屋根部構造であって、
前記屋根部には、前記建物ユニットの桁側一側縁に沿って、屋根面材を組み合わせて、該桁側一側縁の長さに満たない両端縁間寸法を有する桁側切妻屋根部を形成すると共に、該屋根面材の少なくとも一端縁には、下部構造体若しくは基礎に、荷重を伝達する受け柱材が設けられていることを特徴とする建物の屋根部構造。
【請求項３】
建物ユニットの上部に屋根部を載置して、少なくとも妻側両側面に位置する耐力壁部によって、前記屋根部の荷重を下方から支持する建物の屋根部構造であって、
前記屋根部には、前記建物ユニットの桁側一側縁に沿って、屋根面材を組み合わせて、該桁側一側縁の長さに満たない両端縁間寸法を有する桁側切妻屋根部を形成すると共に、該桁側切妻屋根部が設けられていない部分に、該屋根部の前記桁側切妻屋根部の一端縁と、前記建物ユニットの耐力壁部とを連結する水平構面部を、設けたことを特徴とする建物の屋根部構造。
【請求項４】
建物ユニットの上部に屋根部を載置して、少なくとも妻側両側面に位置する耐力壁部によって、前記屋根部の荷重を下方から支持する建物の屋根部構造であって、
前記建物ユニットを上，下複数階に積層して、上階の該建物ユニットの屋根部には、前記建物ユニットの桁側一側縁に沿って、屋根面材を組み合わせて、該桁側一側縁の長さに満たない両端縁間寸法を有する桁側切妻屋根部を形成すると共に、屋根面材の少なくとも一端縁には、下階の建物ユニットの桁側一側縁に沿って延設されて、両端部を、前記両耐力壁部の上部に載置させる中間桁構造連結材の上面側に、下端が突き当てられて上，下方向の荷重を、該中間桁構造連結部材の両端部から、前記妻側両側面に位置する耐力壁部に伝達する上階受け柱部材が、設けられていることを特徴とする建物の屋根部構造。
【請求項５】
前記屋根部は、前記屋根面材を組み合わせて、該桁側一側縁の長さに満たない両端縁間寸法を有する桁側切妻屋根部に、前記桁構造連結材若しくは、水平構面部とのうち、少なくとも何れか一方を一体に形成する屋根ユニットからなることを特徴とする請求項１乃至４のうち、何れか一項記載の建物の屋根部構造に用いる屋根ユニット。
【発明の詳細な説明】
【技術分野】
【０００１】
この発明は、屋根部の桁側切妻屋根の造形の自由度を向上させた建物の屋根部支持構造及び該屋根部支持構造に用いる屋根ユニット関するものである。
【背景技術】
【０００２】
従来、図１３に示すようなユニット建物１が、知られている（例えば、特許文献１等参照）。
【０００３】
このようなユニット建物１では、下階に設けられた建物ユニット２の上部に、屋根部を構成する屋根ユニット３が、載置されている。
【０００４】
この屋根ユニット３は、横材４の両端縁４ａ，４ａが、屋根面材５，５の裏面側に設けられた図示省略のトラス材に連結されて、切妻屋根形状を呈して、構成されている。
【０００５】
このように構成された従来のユニット建物１では、前記建物ユニット２の両側に位置する耐力壁としての妻小壁部２ａ，２ａを介して、鉛直荷重が伝達されて、図示省略の下部構造体及び基礎に伝達されることにより、これらの屋根ユニット３が支持されるように構成されている。
【特許文献１】特開平９−３２１８５号公報
【発明の開示】
【発明が解決しようとする課題】
【０００６】
しかしながら、このような従来の建物の屋根部構造では、１つの建物ユニット２の上部に、１つの屋根ユニット３を、載置することにより、前記建物ユニット２を構成する耐力壁を用いて、屋根ユニット３の重量を支持するように構成されている。
【０００７】
このため、図１４に示すような切妻大屋根６の桁面６ａに、桁側切妻屋根部７が形成された屋根部を有するユニット建物８を構築するプランを採用する場合、図１５に示すように建物ユニット２Ａは、前記屋根面材５，５の端縁５ａ，５ａを、上面視で、耐力壁となる妻小壁部２ａ，２ａに重複する位置まで延設して、屋根面材５，５の荷重を、これらの妻小壁部２ａ，２ａに直接、上方から伝達しなければならない。
【０００８】
このため、下部の建物ユニット２Ａの桁長さＬに合わせた桁方向寸法を有する桁側切妻屋根部７のみに形状が限定されて、建物ユニット２内の間取りに制約が発生したり、或いは、ユニット建物８の外観の設定の自由度が減少してしまうといった問題があった。
【０００９】
また、下部の建物ユニット２Ａの桁長さＬが、長い場合、この桁長さＬに合わせた桁側切妻屋根部７では、棟部７ａの上端位置が、上下方向で高くなる場合がある。
【００１０】
このため、図１５中ｂに示すように、この棟部７ａの棟側端縁７ｂが、隣接配置された他の建物ユニット２Ｂに上面視で重複してしまう。
【００１１】
従って、各々の建物ユニット２Ａ，２Ｂの上部に、屋根ユニット３Ａ，３Ｂが、１つずつ載置されている構成では、建物ユニット２Ｂの上方の屋根ユニット３Ｂ内に、重複部分が、一部形成されることとなる。
【００１２】
よって、前記棟部７ａの棟側端縁７ｂを各屋根ユニット３Ａ，３Ｂに分割したり、施工現場で、この重複部分を形成して、棟部７ａを接続する等、大部分を施工現場で高所作業しなければならず、現地作業が増大してしまう虞もあった。
【００１３】
そこで、この発明は、施工が容易で、屋根部の桁側切妻屋根の造形の自由度を向上させた建物の屋根部構造及び該屋根部構造に用いる屋根ユニットを提供することを課題としている。
【課題を解決するための手段】
【００１４】
上記目的を達成するために、請求項１に記載された発明は、建物ユニットの上部に屋根部を載置して、少なくとも妻側両側面に位置する耐力壁部によって、前記屋根部の荷重を下方から支持する建物の屋根部構造であって、前記屋根部には、前記建物ユニットの桁側一側縁に沿って、屋根面材を組み合わせて、該桁側一側縁の長さに満たない両端縁間寸法を有する桁側切妻屋根部を形成すると共に、該屋根面材の両端縁間を連結すると共に、前記建物ユニットの桁側一側縁に沿って延設されて、両端部を、前記両耐力壁部の上部に載置させる桁構造連結材を設けた建物の屋根部構造を特徴としている。
【００１５】
また、請求項２に記載されたものは、建物ユニットの上部に屋根部を載置して、少なくとも妻側両側面に位置する耐力壁部によって、前記屋根部の荷重を下方から支持する建物の屋根部構造であって、前記屋根部には、前記建物ユニットの桁側一側縁に沿って、屋根面材を組み合わせて、該桁側一側縁の長さに満たない両端縁間寸法を有する桁側切妻屋根部を形成すると共に、該屋根面材の少なくとも一端縁には、下部構造体若しくは基礎に、荷重を伝達する受け柱材が設けられている建物の屋根部構造を特徴としている。
【００１６】
そして、請求項３に記載されたものは、建物ユニットの上部に屋根部を載置して、少なくとも妻側両側面に位置する耐力壁部によって、前記屋根部の荷重を下方から支持する建物の屋根部構造であって、前記屋根部には、前記建物ユニットの桁側一側縁に沿って、屋根面材を組み合わせて、該桁側一側縁の長さに満たない両端縁間寸法を有する桁側切妻屋根部を形成すると共に、該桁側切妻屋根部が設けられていない部分に、該屋根部の前記桁側切妻屋根部の一端縁と、前記建物ユニットの耐力壁部とを連結する水平構面部を、設けた建物の屋根部構造を特徴としている。
【００１７】
また、請求項４に記載されたものは、建物ユニットの上部に屋根部を載置して、少なくとも妻側両側面に位置する耐力壁部によって、前記屋根部の荷重を下方から支持する建物の屋根部構造であって、前記建物ユニットを上，下複数階に積層して、上階の該建物ユニットの屋根部には、前記建物ユニットの桁側一側縁に沿って、屋根面材を組み合わせて、該桁側一側縁の長さに満たない両端縁間寸法を有する桁側切妻屋根部を形成すると共に、屋根面材の少なくとも一端縁には、下階の建物ユニットの桁側一側縁に沿って延設されて、両端部を、前記両耐力壁部の上部に載置させる中間桁構造連結材の上面側に、下端が突き当てられて上，下方向の荷重を、該中間桁構造連結部材の両端部から、前記妻側両側面に位置する耐力壁部に伝達する上階受け柱部材が、設けられている建物の屋根部構造を特徴としている。
【００１８】
更に、請求項５に記載されたものは、前記屋根部は、前記屋根面材を組み合わせて、該桁側一側縁の長さに満たない両端縁間寸法を有する桁側切妻屋根部に、前記桁構造連結材若しくは、水平構面部とのうち、少なくとも何れか一方を一体に形成する屋根ユニットからなる請求項１乃至４のうち、何れか一項記載の建物の屋根部構造に用いる屋根ユニットを特徴としている。
【発明の効果】
【００１９】
このように構成された請求項１記載のものは、前記桁側切妻屋根部の屋根面材の両端縁間を連結する桁構造連結材が、前記建物ユニットの桁側一側縁に沿って延設されて、両端部を、前記両耐力壁部の上部に載置させることにより、前記桁側切妻屋根部を下方から支持する。
【００２０】
このため、前記屋根部の桁側切妻屋根部の荷重は、前記桁構造連結材を介して、前記両耐力壁部の上部から、下部構造体若しくは基礎に伝達されて、分散支持される。
【００２１】
従って、下方の建物ユニットの桁長さに拘わらず、該屋根面材の両端縁間の寸法を設定出来、該桁側切妻屋根の造形の自由度を向上させることができる。
【００２２】
また、請求項２に記載されたものは、前記屋根面材の少なくとも一端縁に設けられた受け柱材が前記桁側切妻屋根部を下方から支持する。
【００２３】
このため、前記屋根部の桁側切妻屋根部の荷重は、該受け柱材を介して、下部構造体若しくは基礎に伝達されて、前記耐力壁部と共に、下方から該屋根部を支持する。
【００２４】
従って、下方の建物ユニットの桁長さに拘わらず、該屋根面材の両端縁間の寸法を設定出来、該桁側切妻屋根の造形の自由度を向上させることができる。
【００２５】
そして、請求項３に記載されたものは、前記水平構面部によって、前記屋根部の前記桁側切妻屋根部の一端縁が、前記建物ユニットの耐力壁部と連結されている。
【００２６】
ここで、屋根部の前記桁側切妻屋根部の一端縁と、前記建物ユニットの耐力壁部とを連結する水平構面部とは、上面視で、前記桁側切妻屋根部が設けられている部分以外の屋根部の下階天井面を覆う形状に形成されるものを含む。
【００２７】
このため、水平方向荷重が、前記桁側切妻屋根部に加わると、前記水平構面部を介して、この水平方向荷重が、前記下部の建物ユニットの耐力壁部に伝達されて、下部構造体若しくは基礎に伝えられる。
【００２８】
また、請求項４に記載されたものは、上階の該建物ユニットの屋根部に形成された桁側切妻屋根部に鉛直方向に、荷重が加わると、前記受け柱材を介して、前記中間桁構造連結材から、下階の前記建物ユニットの妻側両側面に位置する両耐力壁部に伝達されて、下方から分散支持される。
【００２９】
このため、前記下階の前記建物ユニット内の該中間桁構造連結材の下方を、略桁方向全域に渡る開口部とすることが出来ると共に、隣接配置される他の建物ユニット内の空間とこの開口部を介して、連通させることにより、下階に大空間を形成することができる。
【００３０】
更に、請求項５に記載されたものは、前記屋根ユニットに、上面視で、下方に配置される建物ユニットの外形内に収まる大きさの桁側切妻屋根部を、予め一体に形成することができる。
【００３１】
このため、前記屋根ユニットを、前記建物ユニットの上部に載置して、隣接配置される他の建物ユニットとの間の施工を簡略化することが出来るので、施工が容易で、高所作業が減少し、現地作業量の増大を抑制できる。
【発明を実施するための最良の形態】
【００３２】
以下、本発明の実施の形態について、図面を参照しつつ説明する。
【００３３】
図１乃至図１２は、この発明の最良の実施の形態の建物の屋根部支持構造及び該支持構造に用いる屋根ユニットを示すものである。
【００３４】
まず、構成から説明すると、この実施の形態の建物としてのユニット建物１０は、図１に示すように、主に、建物の居室部分を構成する複数の箱形の建物ユニット１１…と、これらの建物ユニット１１…の上部を覆うように装着されて、切妻型の屋根部１２を構成する屋根ユニット１２Ａ〜１２Ｆによって、主に構成されている。
【００３５】
このうち、前記建物ユニット１１は、少なくとも妻側両側面に位置する一対の耐力壁部としての妻小壁部１１ａ，１１ａによって、前記屋根部１２を構成する各建物ユニット１２Ａ〜１２Ｆの荷重を、各々下方から支持するように構成されている。
【００３６】
そして、前記屋根部１２に設けられた１つの前記屋根ユニット１２Ａには、前記建物ユニット１１の桁側一側縁１１ｂに沿って、桁側切妻屋根部１３が形成されている。
【００３７】
この桁側切妻屋根部１３は、略三角形形状の屋根面材１４，１４が、組み合わせられて構成されていて、桁側一側縁１１ｂの長さＬ１に満たない両端縁１３ａ，１３ａ間の寸法Ｌ２を有している。
【００３８】
また、この桁側切妻屋根部１３の棟部１３ｂは、正面視で、これらの屋根面材１４，１４が突き合わせられる上端縁が、この屋根ユニット１２Ａに隣接配置される屋根ユニット１２Ｂの屋根面材の接続部位である下縁部よりも低い位置となるように設定されている。
【００３９】
そして、この屋根ユニット１２Ａには、図３に示すように、屋根面材１４，１４の両端縁１３ａ，１３ａを下方から支持するように連結する桁構造連結材１５が、設けられている。
【００４０】
この桁構造連結材１５は、図７に示すように、前記建物ユニット１１の桁側一側縁１１ｂに長手方向を沿わせて、延設された２枚の構造材本体１８，１８を重合させて、主に構成されていて、図３に示すように、両端部１５ａ，１５ａが、前記妻小壁部１１ａ，１１ａの上部に載置される妻構造連結材１６，１６に接続されている。
【００４１】
すなわち、この実施の形態の屋根ユニット１２Ａの下面部は、図３に示すように、前記桁構造連結材１５及び一対の妻構造連結材１６，１６と、この桁構造連結材１５に上面視で、平行に設けられた桁トラス材１７とを有している。
【００４２】
そして、前記妻構造連結材１６，１６によって、桁構造連結材１５及び桁トラス材１７の各両端部間が接続されることにより、上面視で、下方に載置される建物ユニット１１の外形形状と略同じ略長方形形状を呈するように構成されている。
【００４３】
また、この実施の形態の桁構造連結材１５は、図６及び図７に示すように、２枚の構造材本体１８，１８を重合して構成されていて、下方の建物ユニット１１の上面側に位置する桁側一側縁１１ｂに沿って延設された構造材本体１８に、挿通されるボルト部材１９…が用いられて締結固定されるように構成されている。
【００４４】
この屋根ユニット１２Ａの下面側には、下方の建物ユニット１１の天井面部を構成する平板状の構造用合板２０及び石膏ボード２１が、これらの桁構造連結材１５、一対の妻構造連結材１６，１６、及び桁トラス材１７内側面に垂木材２２…等を介して、複数の釘２３…が、用いられて固定されている。
【００４５】
そして、前記桁側切妻屋根部１３が設けられていない屋根面部材２４の下側部分には、屋根部１２を構成する前記桁側切妻屋根部１３の一端縁１３ａと、前記建物ユニット１１の耐力壁部としての妻小壁部１１ａとを、前記妻構造連結材１６を介して連結する水平構面部２５が、設けられている。
【００４６】
この水平構面部２５は、前記妻構造連結材１６に固着される垂木材２２と平行となるように一定間隔を置いて、配設されると共に、前後端縁部を前記桁構造連結材１５及び桁トラス材１７内側面に固定された垂木材２２，２２に各々連結する補強野縁天井構造材２６…が、図３及び図４に示すように、複数本設けられていて、図５に示すように、下面側に、釘２３…が用いられて貼設された前記構造用合板２０と共に、桁側切妻屋根部１３を有する屋根部１２に加わる水平荷重Ｑを、この水平構面部２５を介して、前記建物ユニット１１の妻小壁部１１ａに伝達可能となる構造強度が与えられている。
【００４７】
更に、この実施の形態では、図１に示すように、前記屋根面材１４の一端縁１３ａが支持されている前記桁構造連結材１５の下方には、この桁構造連結材１５の下面側に上端が突き合わせられて、下階の建物ユニット１１，１１内に各々上下方向に沿って位置することにより、下部構造体若しくは基礎に、これらの荷重を伝達する受け柱材２７，２７が、上下方向で、連続するように設けられている。
【００４８】
次に、この実施の形態の建物の屋根部構造及び該屋根部構造に用いる屋根ユニットの作用効果について説明する。
【００４９】
この実施の形態では、図１に示すように、予め前記屋根ユニット１２Ａに、上面視で、下方に配置される建物ユニット１１の外形内に収まる大きさの桁側切妻屋根部１３が、一体に形成されている。
【００５０】
このため、前記屋根ユニット１２Ａを、前記建物ユニット１１の上部に載置して、隣接配置される他の建物ユニット１２Ｂとの間の施工を簡略化することが出来るので、施工が容易で、高所作業が減少し、現地作業量の増大を抑制できる。
【００５１】
施工後、図８に示すように、前記桁側切妻屋根部１３を有する前記屋根パネルによって、主に構成される屋根部１２の鉛直荷重Ｎは、前記（３）桁トラス材１７に伝達されると共に、前記桁側切妻屋根部１３の棟部１３ｂを中心として、両側に位置する棟隅梁１３ｃ，１３ｃに分散されて、図１又は図３に示すように、正面視右側の一方の一端縁１３ａから、妻構造連結材１６を介して、下方の下部構造体である下階建物ユニット１１の妻小壁部１１ａに伝達されて、基礎に伝えられる。
【００５２】
また、正面視左側の他方の一端縁１３ａからは、前記桁構造連結材１５に、この桁側切妻屋根部１３の鉛直荷重を含む屋根部１２の鉛直荷重が伝達されて、正面視左側一端縁１３ａに連結された前記妻構造連結材１６を介して、下方の下部構造体である下階建物ユニット１１の妻小壁部１１ａに伝達されて、基礎に伝えられると共に、前記（１）受け柱を構成する受け柱部材２７，２７にも、分散されて伝達されて、直接、基礎に伝えられる。
【００５３】
このように、この実施の形態では、前記桁側切妻屋根部１３の屋根面材１４，１４の両端縁１３ａ，１３ａ間を下方から支持して連結する桁構造連結材１５が、前記建物ユニット１１の桁側一側縁１１ｂに沿って延設されて、両端部１５ａ，１５ａが、前記両妻小壁部１１ａ，１１ａの上部に載置される妻構造連結材１６，１６に接続されることにより、前記桁側切妻屋根部１３が、前記桁側一側縁１１ｂの長さＬ１に満たない両端縁１３ａ，１３ａ間の寸法Ｌ２を有していても、下方から確実に支持される荷重伝達経路が確保される。
【００５４】
このため、前記屋根部１２の桁側切妻屋根部１３の荷重は、前記桁構造連結材１５を介して、前記妻小壁部１１ａ，１１ａの上部から、下方に配置される建物ユニット１１，１１及び基礎に伝達されて、分散支持される。
【００５５】
従って、下方の建物ユニット１１の桁方向の長さＬ１に拘わらず、桁側切妻屋根部１３の屋根面材１４，１４の両端縁１３ａ，１３ａ間の寸法Ｌ２を設定出来、棟部１３ｂの高さや、屋根面材１４，１４の合わせ角度等、桁側切妻屋根部１３の造形の自由度を向上させることができる。
【００５６】
また、図９に示すように、前記桁側切妻屋根部１３を有する前記屋根パネルによって、主に構成される屋根部１２の水平荷重Ｑは、屋根面を構成する屋根パネル及び、図１に示す前記桁側切妻屋根部１３の桁小壁面１１ｄから、この桁側切妻屋根部１３の屋根面材１４，１４を介して、妻小壁面１２ｄに伝達される。
【００５７】
この際、前記（４）補強野縁天井を構成する水平構面部２５が、図１又は図３に示すように、正面視左側の一方の桁側切妻屋根部１３の一端縁１３ａと、前記下方の建物ユニット１１の耐力壁部としての妻小壁部１１ａとを連結しているので、正面視左，右両側の妻小壁部１１ａ，１１ａに水平荷重Ｑを分散させて、伝達して、下方の建物ユニット１１，１１及び基礎に良好な支持剛性で支持させることができる。
【実施例１】
【００５８】
図１０は、この発明の実施の形態の実施例１の建物の屋根部構造及び該屋根部構造に用いる屋根ユニットを示すものである。
【００５９】
なお、前記実施の形態と同一乃至均等な部分については、同一符号を付して説明する。
【００６０】
この実施の形態の前記建物ユニット２１１，２１１を上，下に２階に積層して、上階の建物ユニット２１１の屋根部には、前記建物ユニット２１１の桁側一側縁１１ｂに沿って、屋根面材１４，１４が組み合わせられた桁側切妻屋根部１３が形成されている。
【００６１】
屋根面材１４の一端縁１３ａには、下階の建物ユニット１１１の耐力壁部である妻小壁部１１１ａ，１１１ａに鉛直荷重Ｎを伝達する受け柱材１１２が、設けられている。
【００６２】
また、この受け柱材１１２は、下階の建物ユニット１１１の桁側一側縁１１１ｂに沿って延設された中間桁構造連結材としての桁セットバック梁材１１３の上面に下端縁が、突き当てられて支持されている。
【００６３】
そして、この桁セットバック梁材１１３の両端部１１３ａ，１１３が、前記下階の建物ユニット１１１の両妻小壁部１１１ａ，１１１ａの上部に、各々載置されて下方から支持されることにより、上，下方向の鉛直荷重Ｎが、この桁セットバック梁材１１３の両端部１１３ａ，１１３ａから、前記下階の建物ユニット１１１の内部空間Ｒの両側面に位置する両妻小壁部１１１ａ，１１１ａに分散されて、基礎に伝達されるように構成されている。
【００６４】
次に、この実施例１の建物の屋根部構造及び該屋根部構造に用いる屋根ユニットの作用効果について説明する。
【００６５】
この実施例１では、ユニット建物１１０が、建物上階部分前面に、ルーフバルコニーＢＲを設けて、セットバックされた下屋上プランを採用する場合でも、前記実施の形態と同様に、上階の妻小壁部１１ａ，１１ａの鉛直荷重Ｎの伝達に加えて、更に、上階の建物ユニット２１１の屋根部１２０に形成された桁側切妻屋根部１３に鉛直方向の荷重Ｎが加わると、前記受け柱材１１２を介して、前記桁セットバック梁材１１３から、下階の前記建物ユニット１１１の妻側両側面に位置する両妻小壁部１１１ａ，１１１ａに、この鉛直荷重Ｎが伝達されて、下方から分散支持される。
【００６６】
このため、前記下階の前記建物ユニット１１１内の桁セットバック梁材１１３の下方を、略桁方向全域に渡る開口部とすることが出来る。
【００６７】
そして、ルーフバルコニーＢＲの真下に、隣接配置される他の建物ユニット１１１内の空間と、この開口部を介して、下階の建物ユニット１１１内の空間を連通させることにより、複数ユニット１１１，１１１に跨る大空間Ｒを形成することが出来る。
【００６８】
他の構成、及び作用効果については、前記実施の形態と同一乃至均等であるので、説明を省略する。
【実施例２】
【００６９】
図１１及び図１２は、この発明の実施の形態の実施例２の建物の屋根部構造及び該屋根部構造に用いる屋根ユニットを示すものである。
【００７０】
なお、前記実施の形態及び実施例１と同一乃至均等な部分については、同一符号を付して説明する。
【００７１】
この実施例２のユニット建物２１０では、前記実施の形態の切妻型の屋根部１２に替えて、寄せ棟型の屋根部２１２が、複数の屋根ユニットを組み合わせて構成されている。        
【００７２】
そして、下方の建物ユニット１１の桁側一側縁１１ｂに沿って、屋根面材２１４，２１５が組み合わせられた桁側切妻屋根部２１３が形成されていて、前記実施の形態と略同様に桁構造連結材１５によって下方から支持されるように接続されている。
【００７３】
他の構成、及び作用効果については、前記実施の形態及び、実施例１と略同一乃至均等であるので、説明を省略する。
【００７４】
以上、図面を参照して、本発明の実施の形態を詳述してきたが、具体的な構成は、この実施の形態に限らず、本発明の要旨を逸脱しない程度の設計的変更は、本発明に含まれる。
【００７５】
即ち、前記実施の形態の建物の屋根部支持構造及び該支持構造に用いる屋根ユニットでは、図１に示すように、正面視で、右側の妻小壁部１１ａに寄せて、前記桁側切妻屋根部１３を形成しているが、特にこれに限らず、桁側一側縁１１ｂに沿うように設けられる小屋根であれば、桁側一側縁１１ｂの略中央部若しくは、正面視左側に寄せて形成される等、どのような形状、数量及び材質によって構成されていてもよい。
【００７６】
また、前記実施の形態では、屋根部１２が、複数の屋根ユニット１２Ａ乃至１２Ｆを組み合わせて構成されているが、特にこれに限らず、例えば、一部に屋根ユニット１２Ａ等を用いたり、屋根パネル部材と、他の屋根ユニット１２Ｂ等とを組み合わせて構成される屋根部等、どのような形状、数量及び材質の屋根部であってもよい。
【図面の簡単な説明】
【００７７】
【図１】この発明の最良の実施の形態の建物の屋根部支持構造及び該支持構造に用いる屋根ユニットで、ユニット建物全体の構成を説明する模式的な斜視図である。
【図２】実施の形態の建物の屋根部支持構造及び該支持構造に用いる屋根ユニットで、ユニット建物の模式的な上面図である。
【図３】実施の形態の建物の屋根部支持構造に用いる屋根ユニットで、下面部の構成を説明する平面図である。
【図４】実施の形態の建物の屋根部支持構造に用いる屋根ユニットで、図３中Ａ−Ａ線に沿った位置での断面図である。
【図５】実施の形態の建物の屋根部支持構造に用いる屋根ユニットで、図４中ｃ部の拡大断面図である。
【図６】実施の形態の建物の屋根部支持構造に用いる屋根ユニットで、図３中Ｂ−Ｂ線に沿った位置での断面図である。
【図７】実施の形態の建物の屋根部支持構造に用いる屋根ユニットで、図６中ｄ部及びｅ部の拡大断面図である。
【図８】実施の形態の建物の屋根部支持構造で、鉛直荷重の伝達経路を説明する流れ図である。
【図９】実施の形態の建物の屋根部支持構造で、水平荷重の伝達経路を説明する流れ図である。
【図１０】実施の形態の実施例１の建物の屋根部支持構造及び該支持構造に用いる屋根ユニットで、ルーフバルコニーを設けた２階セットバックプランのユニット建物の構成を説明する模式的な斜視図である。
【図１１】実施の形態の実施例２の建物の屋根部支持構造及び該支持構造に用いる屋根ユニットで、寄せ棟型のユニット建物の構成を説明する模式的な斜視図である。
【図１２】実施の形態の実施例２の建物の屋根部支持構造及び該支持構造に用いる屋根ユニットで、寄せ棟型のユニット建物の構成を説明する模式的な上面図である。
【図１３】一従来例の屋根部支持構造で、建物の構成を説明する建物ユニットの模式的な分解斜視図である。
【図１４】他の従来例の屋根部支持構造で、全体の構成を説明する建物の模式的な斜視図である。
【図１５】他の従来例の屋根部支持構造で、全体の構成を説明する建物の模式的な上面図である。
【符号の説明】
【００７８】
１０，１１０，２１０        ユニット建物（建物）
１１，１１１                建物ユニット
１１ａ，１１１ａ            妻小壁部（耐力壁部）
１１ｂ                      桁側一側縁
１２，１２０，２１２        屋根部
１２Ａ〜１２Ｆ              屋根ユニット
１３                        桁側切妻屋根部
１３ａ，１３ａ              端縁
１４，１４                  屋根面材
１５                        桁構造連結材
１５ａ                      端部
２５                        水平構面部（補強野縁天井）
２６                        補強野縁天井構造材
２７，２７                  受け柱部材
１１３                      桁セットバック梁材（中間桁構造連結材）
【図１】
2008025150.tif 000003
【図２】
2008025150.tif 000004
【図３】
2008025150.tif 000005
【図４】
2008025150.tif 000006
【図５】
2008025150.tif 000007
【図６】
2008025150.tif 000008
【図７】
2008025150.tif 000009
【図８】
2008025150.tif 000010
【図９】
2008025150.tif 000011
【図１０】
2008025150.tif 000012
【図１１】
2008025150.tif 000013
【図１２】
2008025150.tif 000014
【図１３】
2008025150.tif 000015
【図１４】
2008025150.tif 000016
【図１５】
2008025150.tif 000017